(57)【特許請求の範囲】
【請求項１】
奥壁部と、該奥壁部の底辺から立設された底壁部と、該奥壁部の側辺から立設された第一側壁部と、該奥壁部の側辺から立設され該第一側壁部に対向する第二側壁部と、を備えてなる箱状のカードホルダであって、
各壁部のうち少なくとも一つは、カード挿入口が開設されたメータクラスタと一体に形成され、
各壁部のうち残りは、該メータクラスタの奥側に隣接して配置されたインストルメントパネルと一体に形成され、
該メータクラスタと該インストルメントパネルとが組み付けられることにより、各壁部が合体することを特徴とするカードホルダ。
【請求項２】
さらに前記奥壁部の上辺から立設され前記底壁部に対向する上壁部を持つ請求項１に記載のカードホルダ。
【請求項３】
前記底壁部は第一底壁と第二底壁とからなり、該第一底壁と前記第一側壁部と前記上壁部とは前記メータクラスタと一体に形成され、
該第二底壁と前記第二側壁部と前記奥壁部とは前記インストルメントパネルと一体に形成され、
該第一側壁部は奥端に係合凸部を持ち、該奥壁部は係合凹部を持ち、
該メータクラスタと該インストルメントパネルとが組み付けられる際、該係合凸部が該係合凹部に係合することにより位置決めされる請求項２に記載のカードホルダ。
【請求項４】
前記第一側壁部および前記第二側壁部の少なくとも一方は、挿入されたカードを押圧するカード押圧部を持つ請求項１に記載のカードホルダ。
【発明の詳細な説明】
【０００１】
【発明の属する技術分野】
本発明は、例えばハイウエィカードや通行券などを収納、保持するカードホルダに関する。
【０００２】
【従来の技術】
カードホルダは、例えばインストルメントパネル（以下、「インパネ」と略称する。）に止着されたメータクラスタに組み付けられる。この場合、カードホルダとメータクラスタとはそれぞれ別個に作製される。そして、メータクラスタに開設された開口に、後付けでカードホルダが組み付けられる。しかしながら、カードホルダとメータクラスタとを別個に作製すると、カードホルダ専用の金型が必要となる。このためコスト高となる。またカードホルダをメータクラスタに
組み付ける工程が必要となる。このため内装部材の組み付け工数が増える。
【０００３】
そこで、他の内装部材の隙間を利用してカードを収納するタイプのカードホルダが開発されている。図５に特開２０００−１３５９５３号公報記載のカードホルダを示す。図に示すように、カードホルダ１００はインパネ１０１とグローブボックス１０２との隙間に配置されている。すなわちインパネ１０１下端壁とグローブボックス１０２上端壁とにより区画された隙間をカードホルダ１００に利用している。
【０００４】
【発明が解決しようとする課題】
しかしながら、内装部材の隙間が大きいと意匠的にチープな印象を与えるため、近年インパネ１０１とグローブボックス１０２との隙間は狭小化している。したがって、同公報記載のカードホルダ１００によると、広いカード収納空間を確保するのが困難となる。このため、多数枚のカードを収納するのが困難となる。また、グローブボックス１０２は助手席前方に配置されている。したがってカードホルダ１００は助手席側にしか配置することができない。すなわちカードホルダ１００は配置の自由度が低く、運転席からのカードの出し入れが困難である。
【０００５】
本発明のカードホルダは、上記課題に鑑みて完成されたものである。したがって本発明は、低コストで組付工数が少なく、広いカード収納空間を確保でき配置の自由度も高いカードホルダを提供することを目的とする。
【０００６】
【課題を解決するための手段】
（１）上記課題を解決するため、本発明のカードホルダは、奥壁部と、奥壁部の底辺から立設された底壁部と、奥壁部の側辺から立設された第一側壁部と、奥壁部の側辺から立設され第一側壁部に対向する第二側壁部と、を備えてなる箱状のカードホルダであって、各壁部のうち少なくとも一つは、カード挿入口が開設されたメータクラスタと一体に形成され、各壁部のうち残りは、メータクラスタの奥側に隣接して配置されたインストルメントパネルと一体に形成され、メータクラスタとインストルメントパネルとが組み付けられることにより、各壁部が合体することを特徴とする。
【０００７】
本発明のカードホルダは箱状を呈している。カードホルダを構成する各壁部の一部は、メータクラスタと一体に形成されている。またカードホルダを構成する各壁部の残部は、インストルメントパネルと一体に形成されている。このためメータクラスタとインストルメントパネルとを組み付けるのと同時に各壁部が合体しカードホルダが完成する。
【０００８】
本発明のカードホルダによると、カードホルダを構成する各部材は、メータクラスタおよびインストルメントパネルと一体に形成されている。このためカードホルダ専用の金型は不要である。したがって本発明のカードホルダは製造コストが低い。
【０００９】
また本発明のカードホルダによると、メータクラスタとインストルメントパネルとを組み付けるのと同時にカードホルダが完成する。すなわちメータクラスタとインストルメントパネルとの組み付け工程に、カードホルダ組み付け工程が含まれている。このため内装部材の組み付け工数が少なくなる。また本発明のカードホルダによると、カードホルダ専用の各壁部によりカード収納空間が形成される。このため広いカード収納空間を確保することが容易である。また本発明のカードホルダは、メータクラスタとインストルメントパネルとが並設されていれば、どこにでも配置することができる。このため配置の自由度が高い。
【００１０】
また、本発明のカードホルダでは、インパネおよびメータクラスタにカードホルダの各壁部を形成している。メータクラスタは運転席に近接している。このため本構成によると運転席からのカードの出し入れが容易である。
【００１１】
（２）好ましくは、上記（１）の構成において、さらに奥壁部の上辺から立設され底壁部に対向する上壁部を持つ構成とする方がよい。本構成によると、収納されたカードが上壁部と底壁部とにより挟持される。このためカードが上下方向に揺動しにくくなる。したがってカードが脱落しにくくなる。
【００１２】
（３）好ましくは、上記（２）の構成において、底壁部は第一底壁と第二底壁とからなり、第一底壁と第一側壁部と上壁部とはメータクラスタと一体に形成され、第二底壁と第二側壁部と奥壁部とはインストルメントパネルと一体に形成され、第一側壁部は奥端に係合凸部を持ち、奥壁部は係合凹部を持ち、メータクラスタとインストルメントパネルとが組み付けられる際、係合凸部が係合凹部に係合することにより位置決めされる構成とする方がよい。
【００１３】
つまりこの構成は、第一底壁と第二底壁とにより底壁部を二層状に形成するものである。第一底壁と第一側壁部と上壁部とはメータクラスタと一体に形成される。このため第一底壁は第一側壁部から第二側壁部方向に立設される。一方、第二底壁と第二側壁部と奥壁部とはインストルメントパネルと一体に形成される。このため第二底壁は第二側壁部から第一側壁部方向に立設される。したがって、第一底壁と第二底壁とは、互い違いに積層されることになる。本構成によると収納したカードが下方に脱落しにくくなる。
【００１４】
また本構成は、第一側壁部に係合凸部を配置するものである。また奥壁部に係合凹部を配置するものである。そして係合凸部を係合凹部に係合させることにより、カードホルダ組み付け時の位置決めを行うものである。本構成によると、位置決めが容易である。このためカードホルダの組み付けが簡単である。また本構成によると第一側壁部と奥壁部とが係合している。このため収納したカードが奥方に脱落しにくくなる。
【００１５】
（４）好ましくは、上記（１）の構成において、第一側壁部および第二側壁部の少なくとも一方は、挿入されたカードを押圧するカード押圧部を持つ構成とする方がよい。つまりこの構成は、第一側壁部および第二側壁部の少なくとも一方に、カード押圧部を配置するものである。収納されたカードは、カード押圧部の押圧力により対向する壁に押しつけられる。このため本構成によると、カードが脱落しにくくなる。
【００１６】
【発明の実施の形態】
以下、本発明のカードホルダの実施の形態について説明する。まず、本実施形態のカードホルダの構成について説明する。図１に本実施形態のカードホルダの外観図を示す。図に示すように、カードホルダ１はメータクラスタ９においてレジスタ取付口９１の横に開設されたカード挿入口９０の奥側に配置されている。図２に本実施形態のカードホルダの分解図を示す。カードホルダ１は、奥壁部２０と底壁部と上壁部２２と第一側壁部２３と第二側壁部２４とを備える。また底壁部は、第一底壁２１０と第二底壁２１１とからなる。これらの各壁部は、メータクラスタ９およびインパネ８と一体に形成されている。
【００１７】
メータクラスタ９には、第一底壁２１０と上壁部２２と第一側壁部２３とが一体に形成されている。上壁部２２および第一底壁２１０は、短冊状を呈している。上壁部２２と第一底壁２１０とは、カード挿入口９０を上下に挟んで、メータクラスタ９の裏面から奥方向に立設されている。第一側壁部２３は、長方形状を呈している。第一側壁部２３は、上壁部２２のレジスタ取付口９１側の側辺と第一底壁２１０のレジスタ取付口９１側の側辺とをつないでいる。すなわち、上壁部２２と第一底壁２１０と第一側壁部２３とは、カード挿入口９０を囲んでコ字状に配置されている。また第一側壁部２３の奥端には、係合凸部２３０が一体に形成されている。
【００１８】
インパネ８には、残りの各壁部、すなわち第二底壁２１１と第二側壁部２４と奥壁部２０とが一体に形成されている。インパネ８は上下方向に延びる支持柱８０を持つ。第二側壁部２４は長方形状を呈している。第二側壁部２４は支持柱８０と一体に形成されている。第二側壁部２４のほぼ中央には、カード押圧部２４０が切り起こし状に一体に形成されている。第二底壁２１１は台形状を呈している。第二底壁２１１は、第二側壁部２４の下辺から立設されている。図３に本実施形態のカードホルダの上下方向の断面図を示す。図に示すように、第二底壁２１１は、前記第一底壁２１０の下方に積層状に配置されている。図２に戻って、奥壁部２０は、短冊状を呈している。奥端部２０は、第二側壁部２４の奥辺および第二底壁２１１の奥辺を覆って配置されている。そして奥端部２０は、前記カード挿入口９０と対向している。奥端部２０のほぼ中央には、係合孔２００が穿設されている。なお係合孔２００は、本発明の係合凹部に含まれる。図４に本実施形態のカードホルダの手前−奥方向の断面図を示す。図に示すように、係合孔２００には、前記係合凸部２３０が挿入される。
【００１９】
次に、本実施形態のカードホルダの組み付け方法について説明する。組み付けにおいては、まずメータクラスタ９を成形する。このとき同時に第一底壁２１０と上壁部２２と第一側壁部２３とを成形する。すなわちメータクラスタ９と第一底壁２１０と上壁部２２と第一側壁部２３とを一体に作製する。また並びに、インパネ８を成形する。このとき同時に第二底壁２１１と第二側壁部２４と奥壁部２０とを成形する。すなわちインパネ８と第二底壁２１１と第二側壁部２４と奥壁部２０とを一体に作製する。そして次に、図２中矢印で示すように、メータクラスタ９をインパネ８に組み付ける。このとき、図４に示すように、係合孔２００に係合凸部２３０を挿入し係合させることにより、カードホルダ１の位置決めを行う。また図３に示すように、第一底壁２１０と第二底壁２１１とを積層状に配置する。このようにしてカードホルダ１が組み付けられる。そしてカード収納空間１０が区画される。
【００２０】
本実施形態のカードホルダ１によると、各壁部がメータクラスタ９およびインパネ８と一体に形成されている。このためカードホルダ専用の金型は不要である。また本実施形態のカードホルダ１によると、メータクラスタ９とインパネ８とを組み付けるのと同時にカードホルダ１が完成する。このため組み付け工数が少ない。また本実施形態のカードホルダ１によると、カードホルダ１専用の各壁部によりカード収納空間１０が形成される。このため広いカード収納空間を確保することが容易である。また本実施形態のカードホルダ１によると、第一底壁２１０と第二底壁２１１とが互い違いに積層される。このため収納したカードが下方に脱落しにくい。また本実施形態のカードホルダ１によると、係合凸部２３０と係合孔２００とにより組み付け時の位置決めが行われる。このため組み付けが容易である。また収納したカードが奥方に脱落しにくい。また本実施形態のカードホルダ１によると、第二側壁部２４にカード押圧部２４０が形成されている。このため収納したカードが脱落しにくい。また本実施形態のカードホルダ１によると、係合凸部２３０が第一側壁部２３に一体に形成されている。したがってメータクラスタ９成形時に、同時に係合凸部２３０を作製することができる。またカード押圧部２４０が第二側壁部２４に一体に形成されている。したがって、インパネ８成形時に、同時にカード押圧部２４０を作製することができる。このため、組み付け工数が少ない。また本実施形態のカードホルダ１によると、図２に示すように第二底壁２１１が台形状を呈している。このため、図４に示すように、カード収納空間１０は、カード挿入口９０付近が広く、奥に進むにつれ徐々に狭小となっている。したがってカードの出し入れがしやすく、かつ収納したカードが脱落しにくい。
【００２１】
以上本発明のカードホルダの実施の形態について説明した。しかしながら実施形態は上記形態に特に限定されるものではない。当業者が行いうる種々の変形的、改良的形態で行うことも可能である。
【００２２】
例えば、メータクラスタ９と一体に形成される壁部は、第一底壁２１０と上壁部２２と第一側壁部２３とに限定されない。同様に、インパネ８と一体に形成される壁部は、第二底壁２１１と第二側壁部２４と奥壁部２０とに限定されない。メータクラスタ９およびインパネ８のいずれかに、各壁部が形成されていればよい。また本実施形態においては、係合凹部として係合孔２００を配置した。しかしながら、例えば溝状の係合凹部を配置してもよい。また本実施形態においては、カード押圧部２４０を、第二側壁部２４に切り起こし状に形成した。しかしながらカード押圧部の形状は限定しない。例えばウェッジ状のカード押圧部を配置してもよい。あるいは板ばね状のカード押圧部を配置してもよい。また第一側壁部２３にカード押圧部を配置してもよい。
【００２３】
【発明の効果】
本発明によると、低コストで組付工数が少なく、広いカード収納空間を確保でき配置の自由度も高いカードホルダを提供することができる。
【図面の簡単な説明】
【図１】  本実施形態のカードホルダの外観図である。
【図２】  本実施形態のカードホルダの分解図である。
【図３】  本実施形態のカードホルダの上下方向の断面図である。
【図４】  本実施形態のカードホルダの手前−奥方向の断面図である。
【図５】  従来のカードホルダの側面図である。
【符号の説明】
１：カードホルダ、１０：カード収納空間、２０：奥壁部、２００：係合孔（係合凹部）、２１０：第一底壁、２１１：第二底壁、２２：上壁部、２３：第一側壁部、２３０：係合凸部、２４：第二側壁部、２４０：カード押圧部、８：インパネ、８０：支持柱、９：メータクラスタ、９０：カード挿入口、９１：レジスタ取付口。
【図１】
0003951721.tif 000002
【図２】
0003951721.tif 000003
【図３】
0003951721.tif 000004
【図４】
0003951721.tif 000005
【図５】
0003951721.tif 000006